(57)【要約】【課題】トーションばねなどの付勢ばねにおいては、その巻き部分を保持して径方向での変位を防止する内径ガイドがないと、使用できない。【解決手段】  螺旋カム部材４４とガイドバー４５とが平行に基台４２に組みつけられ、螺旋カム部材の螺旋カム面４４ｃと摺接する摺接面４３ｂ１’を有する視度調整レンズの軸受部４３ｂ１がガイドバー４５に対し摺動自在に保持されている。付勢ばね４６が、視度調整レンズの摺接面４３ｂ１’を螺旋カム面４４ｃに付勢するように基台と視度調整レンズの軸受部との間でガイドバー４５に環装されており、ばねの一端から延びた腕部４６ａは基台の壁に沿うように係合し、その一端においてばねの巻き部分の中心はガイドバーの中心に位置している。また、ばねの他端は軸受部の外周４３ｂ１’’と嵌合し、ばねの他端から延びた腕部４６ｂは軸受部の壁に係合している。【選択図】図７
2009098320.tif 000002
【特許請求の範囲】
【請求項１】
カメラのファインダ装置において、
上記ファインダ装置中に構成される接眼レンズを光軸方向に移動させるため回転する軸状の螺旋カム部材と、
上記螺旋カム部材の回転軸と平行な軸部材と、
上記ファインダ装置の光学系を構成し、上記螺旋カム部材の螺旋カム面と当接して摺接する摺接面と、上記螺旋カム部材の回転軸と平行な方向に移動するため、上記軸部材に保持された軸受部とを有する接眼レンズと、
上記螺旋カム部材と上記軸部材とが組み込まれる基台と、
上記接眼レンズの一部を上記螺旋カム面に付勢して当接させるための付勢ばねであって、上記基台と上記接眼レンズの軸受部との間に設けられ、該ばねの一端から延びた第１の腕部は上記基台に設けられた壁に沿うように係合し、該一端において付勢ばねの巻き部分の中心を上記軸部材の中心に位置させ、該ばねの他端は上記軸受部の外周と嵌合し、該ばねの他端から延びた第２の腕部は上記接眼レンズに係合し、上記接眼レンズを上記軸部材に関して回転する方向に付勢する付勢ばねと、
を備えたことを特徴とするカメラのファインダ装置。
【請求項２】
カメラのファインダ装置は、上記接眼レンズを光軸方向に駆動することにより視度を調整することを特徴とする請求項１記載のカメラのファインダ装置。
【請求項３】
上記基台は、上記軸部材が組み込まれる中心軸穴と平行な壁を有し、上記第１の腕部は該壁に沿うように係合する略コの字状の折り曲げ部を持つことを特徴とする請求項１または２記載のカメラのファインダ装置。
【請求項４】
上記基台は、合成樹脂からなり、金型で成形され、
上記軸部材を組み付ける部位は、上記軸部材の軸方向に交差する方向から該金型の型抜きが行われることを特徴とする請求項１〜３のいずれか記載のカメラのファインダ装置。
【請求項５】
軸部材と、
上記軸部材に対し摺動自在に保持される軸受部材と、
上記軸部材と平行に設けられた壁を有し、上記軸部材を支持する基台と、
付勢ばねであって、上記軸部材を中心に、かつ上記基台と上記軸受部材との間に配置され、上記軸受部材により圧縮を受け、かつ上記軸受部材に回転付勢力を与えるため、該ばねの一端から延びた第１の腕部は上記基台に設けられた上記壁に沿うように係合し、該一端において付勢ばねの巻き部分の中心を上記軸部材の中心に位置させ、該ばねの他端は上記軸受部材の外周と嵌合し、該ばねの他端から延びた第２の腕部は上記軸受部材に係合し、上記軸受部材を上記軸部材に関して回転する方向に付勢する付勢ばねと、
を備えたことを特徴とするばね懸架装置。
【発明の詳細な説明】
【技術分野】
【０００１】
本発明は、一眼レフレックスカメラなどのカメラにおけるファインダ装置およびばね懸架装置に関する。
【背景技術】
【０００２】
トーションばね（ねじりばね）のような付勢ばねは、通常、その巻き部分（コイル部分）の内径面を突出部材からなる内径ガイドに環装し、コイル部の両端の一対の腕部のうち、一方を固定部材に、他方を可動部材にそれぞれ係合することにより、内径ガイドの回りで回転する方向の付勢力（ねじり力）を可動部材に付加するように配置されている。
ここで、巻き部分の内径面をその両端でガイドしないと、ガイドされない端でコイル部は径方向に変位して可動部材に所定のねじり力を付加できない。そのため、トーションばねを有効に機能させるためには、巻き部分の内径面を内径ガイドでガイドする必要がある。
【０００３】
付勢ばねを使用するばね懸架装置として、たとえば、デジタルカメラやデジタルビデオカメラ（報道用、映画用のものを含む）などのファインダ装置がある。ファインダ装置においては、鮮明な画像を観察可能とするために視度を調整するように、たとえば接眼レンズの一部（視度調整レンズ）をその光軸（接眼系光軸）の方向に移動させている。
【０００４】
たとえば、特開２００２−０７２２９３号公報では、視度調整操作部材と同軸で一体的に回転される螺旋カム部材に螺旋カム面を形成し、視度調整レンズの一部を螺旋カム面に当接させ、視度調整操作部材を回転させることに螺旋カム部材を回転し、螺旋カム面の押圧によって視度調整レンズをその光軸方向に移動して視度を調整可能としている。そして、螺旋カム部材から延びたリブの先端突起が断面Ｖ字形状のクリック溝に係合されることによって、視度調整操作部材はその回転位置に維持されるようになっている。
【０００５】
そして、視度調整レンズの動きをガイドするガイドバーが基台に配置され、ガイドバーに付勢ばねが圧縮された状態で環装されて視度調整レンズの一部を螺旋カム面に当接させている。
【発明の開示】
【発明が解決しようとする課題】
【０００６】
付勢ばねの固定側の端における内径ガイドは、通常、基台の壁面から突出した突出部材とされる。しかし、ファインダ本体の金型の構造上、この突出部材（内径ガイド）を設けることができないと、付勢ばねが径方向に変位し、視度調整レンズ（可動部材）の移動路に飛び出て視度調整レンズの動きを妨げるおそれがあり、付勢ばねを使用した設計ができず、付勢ばねの応用範囲が限定される。
【０００７】
本発明は、内径ガイドがなくても付勢ばねを使用した設計を可能とするカメラのファインダ装置の提供を目的としている。
また、本発明は、内径ガイドがなくても付勢ばねを使用した設計を可能とするばね懸架装置の提供を別の目的としている。
【特許文献１】特開２００２−０７２２９３号公報
【課題を解決するための手段】
【０００８】
請求項１に係る本発明によれば、カメラのファインダ装置において、上記ファインダ装置中に構成される接眼レンズを光軸方向に移動させるため回転する軸状の螺旋カム部材と、上記螺旋カム部材の回転軸と平行な軸部材と、上記ファインダ装置の光学系を構成し、上記螺旋カム部材の螺旋カム面と当接して摺接する摺接面と、上記螺旋カム部材の回転軸と平行な方向に移動するため、上記軸部材に保持された軸受部とを有する接眼レンズと、上記螺旋カム部材と上記軸部材とが組み込まれる基台と、上記接眼レンズの一部を上記螺旋カム面に付勢して当接させるための付勢ばねであって、上記基台と上記軸受部との間に設けられ、該ばねの一端から延びた第１の腕部は上記基台に設けられた壁に沿うように係合し、該一端において付勢ばねの巻き部分の中心を上記軸部材の中心に位置させ、該ばねの他端は上記軸受部の外周と嵌合し、該ばねの他端から延びた第２の腕部は上記接眼レンズに係合し、上記接眼レンズを上記軸部材に関して回転する方向に付勢する付勢ばねとを備えたことを特徴としている。
【０００９】
請求項２に係る本発明によれば、カメラのファインダ装置は、上記接眼レンズを光軸方向に駆動することにより視度を調整することを特徴としている。
請求項３に係る本発明によれば、上記基台は、上記軸部材が組み込まれる中心軸穴と平行な壁を有し、上記第１の腕部は該壁に沿うように係合する略コの字状の折り曲げ部を持つことを特徴としている。
請求項４に係る本発明によれば、上記基台は、合成樹脂からなり、金型で成形され、
上記軸部材を組み付ける部位は、上記軸部材の軸方向に交差する方向から該金型の型抜きが行われることを特徴としている。
【００１０】
請求項５に係る本発明によれば、ばね懸架装置は、軸部材と、上記軸部材に対し摺動自在に保持される軸受部材と、上記軸部材と平行に設けられた壁を有し、上記軸部材を支持する基台と、付勢ばねであって、上記軸部材を中心に、かつ上記基台と上記軸受部材との間に配置され、上記軸受部材により圧縮を受け、かつ上記軸受部材に回転付勢力を与えるため、該ばねの一端から延びた第１の腕部は上記基台に設けられた上記壁に沿うように係合し、該一端において付勢ばねの巻き部分の中心を上記軸部材の中心に位置させ、該ばねの他端は上記軸受部材の外周と嵌合し、該ばねの他端から延びた第２の腕部は上記軸受部材に係合し、上記軸受部材を上記軸部材に関して回転する方向に付勢する付勢ばねとを備えたことを特徴としている。
【発明の効果】
【００１１】
請求項１に係る本発明では、付勢ばねの巻き部分の変位がないため、可動部材である接眼レンズが付勢ばねに妨げられることなく軸線方向に移動でき、内径ガイドがなくても付勢ばねを使用した設計が可能となる。
【００１２】
請求項２に係る本発明では、光軸方向での接眼レンズの移動によって視度が調整される。
請求項３に係る本発明では、付勢ばねの一端から延びた第１の腕部の略コの字状の折り曲げ部が基台の壁に沿うように係合されているため、付勢ばねの一端が壁に沿って確実に保持される。
請求項４に係る本発明では、金型が複雑化しないとともに、金型の型抜きが容易に行なえる。
【００１３】
請求項５に係る本発明では、付勢ばねの巻き部分の変位がないため、内径ガイドが不要となり、内形ガイドを設けられない構成においても付勢ばねを使用したばね懸架装置の設計が可能となる。
【発明を実施するための最良の形態】
【００１４】
本発明では、螺旋カム部材と軸部材（ガイドバー）とが平行に基台に組みつけられ、螺旋カム部材の螺旋カム面と摺接する摺接面を有する視度調整レンズ（接眼レンズ）の軸受部が軸部材に保持され、移動可能に配置されている。トーションばね（付勢ばね）が、視度調整レンズの摺接面を螺旋カム面に付勢するように基台と視度調整レンズの軸受部との間で軸部材に環装されており、トーションばねの一端から延びた腕部は基台の壁に沿うように係合し、その一端において付勢ばねの巻き部分の中心は軸部材の中心に位置している。また、その他端は軸受部の外周と嵌合し、ばねの他端から延びた腕部は視度調整レンズに係合している。
【実施例】
【００１５】
以下、図面を参照しながら本発明の実施例について詳細に説明する。図１は本発明の一実施例に係るファインダ構造を備えたカメラの背面外観の斜視図を示す。図２、図３は図１に示すカメラからその構成部材を順次除去または分離した図を示し、図２では上蓋が除去され、図３ではファインダ装置がさらに分離されている。
【００１６】
図１に示すように、カメラ１０はカメラ本体２０と、カメラ本体の上面を覆う上蓋３０とを備えた一眼レフレックスカメラとして具体化されている。上蓋３０を除くとカメラ本体２０の上端に配置されたファインダ装置（ファインダユニット）４０が臨まれる（図２参照）。
図２、図３に示すように、ファインダ装置４０は、ペンタプリズム４１、基台４２、接眼光学系レンズ４３などを備え、これらをユニット化して構成されている。
【００１７】
図４は下方からのファインダ装置の外観の斜視図、図５は図４からサイドカバーを除去した下方からのファインダ装置の外観の斜視図をそれぞれ示す。
実施例では、接眼光学系レンズ４３は第１の接眼レンズ４３ａと視度調整レンズである第２の接眼レンズ４３ｂとを有して構成され、第２の接眼レンズ（視度調整レンズ）を第１の接眼レンズに対してその光軸（接眼系光軸）Ｏ1に沿って移動させることにより視度調整可能となっている。視度調整レンズ４３ｂはサイドカバー４２’で覆われ、このサイドカバーは基台４２に係合されて取付けられている。
【００１８】
図６は一部の部材を分解したファインダ装置の分解斜視図、図７は螺旋カム部材、軸部材、視度調整部材のそれぞれの回転軸に沿った縦断面図、図８は螺旋カム部材、軸部材、視度調整部材の平面図を示す。さらに、図９は図７の線Ａ−Ａに沿った横断面図、図１０は図７の線Ｂ−Ｂに沿った横断面図、図１１は一部の部材を分解したファインダ装置の分解斜視図を示す。
【００１９】
図６〜図１１に示すように、ファインダ装置４０は、螺旋カム部材４４と、軸部材４５と、付勢ばね４６と、視度調整部材４７と、カバー４８とをさらに備えている。カバー４８はカメラ本体２０の背面側で基台４２にビス止めされており、カバーに形成された支持穴４８ａに軸状の視度調整部材４７の一端が軸支されている。また、軸線方向に延びた係合穴４７ａが視度調整部材４７の他端中央に形成され、基台４２に形成された係合ピン４２’’がこの係合穴に係合、軸支されることにより、視度調整部材は基台に回転可能に取付けられている。
【００２０】
視度調整部材４７の一端の周面には平面部４７ｂが形成され、平面部に対応した非円形穴を持つ操作ノブ４７ｃ（図３参照）は、外装である後カバーに回転可能に取付けられ、本体に後カバーを組み付ける際、視度調整部材の一端にその非円形穴を嵌合させて取付けられている。操作ノブ４７ｃは円錐台形とされ、その周面は滑り止めのために凹凸面となっている。また、視度調整部材４７の他端の周面にはギヤ４７ｄが形成されている。
【００２１】
螺旋カム部材４４は、視度調整レンズ（第２の接眼レンズ）４３ｂをその光軸（接眼系光軸Ｏ1；図５参照）方向に移動させるために回転される軸状の部材であり、カムシャフト４４ａと、カムシャフトの周面に固定されたギヤ４４ｂと持ち、ギヤは視度調整部材のギヤ４７ｄに噛合されている。図７に示すように、カムシャフト４４ａの一端は基台４２に形成された支持穴４２ａに、他端はカバー４８に形成された支持穴４８ｂにそれぞれ軸支され、カムシャフトは回転自在に設けられている。
カムシャフト４４ａの一端側の段部（図７の左の段部；後述する軸受部と対向する側の段部）は、その回転軸と垂直な面が連続した螺旋状の螺旋カム面４４ｃとなっている。
【００２２】
カムシャフト４４ａは支持穴４２ａに支持される小径の軸を有する軸部近傍に径方向に飛び出した突部４４ｄを有している。そして、螺旋カム部材４４が回転されると、基台４２の支持穴４２ａの近傍に設けられた突部４２ｆと螺旋カム部材の突部４４ｄとが当接して螺旋カム部材の不必要な回転が規制される。
【００２３】
軸部材４５、たとえばガイドバーは、基台４２に形成された支持穴４２ｂ、４２ｃにその両端がそれぞれ嵌合、固定されることにより、螺旋カム部材の回転軸であるカムシャフト４４ａと平行に基台に組み込まれている。また、視度調整レンズ４３ｂは軸受部４３ｂ１を一体的に持ち、ガイドバー（軸部材）４５が軸受部４３ｂ１に挿通されている。そして、軸受部４３ｂ１、つまりは視度調整レンズ４３ｂは、ガイドバー４５にガイドされてその軸線方向に移動可能にガイドバーに保持されている。
【００２４】
接眼レンズの一部である軸受部４３ｂ１は、径方向に突出した突出部を持ち、螺旋カム部材の螺旋カム面４４ｃに対向する突出部の面は螺旋カム面に摺接する摺接面４３ｂ１’となっている。そして、付勢ばね４６、たとえばコイルばね形状を有するトーションばね（ねじりばね）が、基台４２と軸受部４３ｂ１との間でガイドバー４５の周りに圧縮された状態で環装され、トーションばねの巻き部分の中心は、両端において、ガイドバーの中心に位置して設けられている。トーションばね４６の端から第１、第２の腕部４６ａ、４６ｂが延び、２つの腕部の先端はいずれも略コの字状に折り曲げられている。
【００２５】
トーションばね４６の一端の面する基台４２の壁面には、内径ガイドとなるべき突起部材が、基台を成形する金型設計の上から設けられておらず、トーションばねの一端から延びた腕部（第１の腕部）４６ａは、図９、図１０に示すように、基台の壁４２ｄの内壁面に沿って延び、先端の略コの字状の折り曲げ部４６ａ’は基台の壁の先端に係合されている。基台の壁４２ｄは、ガイドバー４５と平行に設けられている。
【００２６】
トーションばね４６の他端は軸受部４３ｂ１の外周４３ｂ１’’に係合されている。そして、その他端から延びた腕部（第２の腕部）４６ｂは、視度調整レンズ４３ｂに設けられた係合ピン４３ｂ２（図９、図１０参照）に係合し、先端の略コの字状の折り曲げ部４６ｂ’は視度調整レンズ４３ｂに、詳細にいえば軸受部４３ｂ１の壁に係合されている（図７、図１１参照）。トーションばね４６によって、ガイドバー４５に関して軸受部４３ｂ１、つまりは視度調整レンズ４３ｂを回転する方向に付勢する力（ねじり力）が軸受部に加えられることはいうまでもない。しかしながら、回転を防止するストッパが設けられており、視度調整レンズ４３ｂは回転しない。
【００２７】
なお、基台４２と、基台に支持されたガイドバー(軸部材)４５と、ガイドバーに移動可能に保持された軸受部（軸受部材）４３ｂ１と、軸受部をガイドバーに関して回転する方向に付勢するトーションばね（付勢ばね）とを備えるものをばね懸架装置ということができる。
【００２８】
ファインダ装置４０の作用について述べると、視度調整部材の操作ノブ４７ｃを操作して視度調整部材４７を回転すれば、視度調整部材のギヤ４７ｄと螺旋カム部材のギヤ４４ｂとが噛合しているため、視度調整部材の回転に伴って螺旋カム部材も回転する。
【００２９】
トーションばね（付勢ばね）４６がガイドバー４５の周りに圧縮された状態で環装されているため、その一端は基台の壁面に押圧されて係合され、他端は視度調整レンズ（接眼レンズ）の軸受部の外周４３ｂ１’’に押圧されて嵌合されている。つまり、トーションばね４６は、圧縮ばねとしても機能し、軸受部４３ｂ１を螺旋カム部材の螺旋カム面４４ｃ方向に付勢し、軸受部の摺接面４３ｂ１’を螺旋カム面に当接させている。
また、トーションばね４６は、その第１の腕部４６ａが固定部材に相当する基台４２の壁面に、第２の腕部４６ｂが可動部材に相当する視度調整レンズの軸受部４３ｂ１に設けられた係合ピン４３ｂ２にそれぞれ係合され、第１の腕部の先端の略コの字状の折り曲げ部４６ａ’が基台の壁に沿うように係合され、第２の腕部の先端の折り曲げ部４６ｂ’が軸受部４３ｂ１の壁に係合されている。そのため、ねじり力が軸受部４３ｂ１に作用し、トーションばね４６は圧縮力及びねじり力のもとで摺接面４３ｂ１’を螺旋カム面４４ｃに確実に当接させている。これらの付勢力が作用しているため、視度調整のために操作ノブ４７ｃを回転操作しても、ファインダで観察される観察像にぶれなどが生じない。
【００３０】
第１の腕部４６ａが基台４２の壁面に押圧されるともに、先端の折り曲げ部４６ａ’が基台の壁４２ｄの先端に係合されている。そのため、トーションばね４６の一端側におけるガイドバー４５の径方向へのトーションばねの巻き部分４６ｃの変位が防止される。また、トーションばね４６の他端においては、軸受部の外周４３ｂ１’’に嵌合されているため、軸受部４３ｂ１が内径ガイドとして機能し、他端側におけるトーションばねの径方向での変位が軸受部によって防止される。
なお、実施例では、図９、図１０に示すように、ガイドバー４５の回転軸を横切ってサイドカバー４２’から延びるばね押さえ部４２ｅを設けて第１の腕部先端の折り曲げ部４６ａ’が基台の壁４２ｄから離脱するのを防止している。
【００３１】
トーションばね４６によって、視度調整レンズの軸受部の摺接面４３ｂ１’が圧縮力及びねじり力のもとで螺旋カム部材の螺旋カム面４４ｃに押圧されて当接されている。そのため、操作ノブ４７ｃによって視度調整部材４７とともに螺旋カム部材４４が回転されると、摺接面４３ｂ１’を螺旋カム面４４ｃ上で摺接させながら、軸受部４３ｂ１はガイドバー４５上をその軸線に沿って確実に移動される。つまり、視度調整レンズ（第２の接眼レンズ）４３ｂが第１の接眼レンズ４３ａに対して接眼系光軸Ｏ1に沿って確実に移動され、視度が像ぶれもなく正確に調整される。
【００３２】
図６に示すように、板ばねからなるクリックばね４９が基台４２にビス止めされており、その先端は突状に突起した形状に折り曲げられている。クリックばね４９は、先端の折り曲げ部４９ａがクリック溝を兼ねる視度調整部材のギヤ４７ｄにばね力のもとで噛合させた状態で、基台４２に設けられている。そのため、視度調整部材４７はばね力に抗して折り曲げ部４９ａとギヤ４７ｄとの噛合を外しながら回転されるため、クリック感のある回転が得られる。そして、折り曲げ部４９ａがギヤ４７ｄに噛合されるため、視度調整部材４７はその回転位置に維持され、視度調整レンズ４３ｂはその視度調整位置に確実に保持される。
【００３３】
トーションばね４６の一端側における径方向でのトーションばねの巻き部分４６ｃの変位が防止されるため、図７に想像線で示すように、軸受部４３ｂ１が基台４２の方向に移動した場合でも、トーションばね４６の一端がその移動路を飛び出ることがない。そのため、トーションばね４６に妨げられることなく、軸受部４３ｂ１、つまりは視度調整レンズ（第２の接眼レンズ）４３ｂが第１の接眼レンズ４３ａに対して移動し、視度調整が行える。
【００３４】
このように、トーションばね４６の端の一方に内径ガイドを設けられない設計においても、トーションばねを配置することが可能となり、トーションばねの応用範囲が拡大される。
通常、基台４２は合成樹脂から金型で成形されるが、本発明では、トーションばね（付勢ばね）４６の一端で巻き部分の内径に嵌合される内径ガイドを基台４２の壁面に設ける必要がないため、基台の金型の構造が複雑化しない。また、基台４２の壁面に突起部材よりなる内径ガイドがないため、ガイドバー４５の軸方向と交差する方向（図７のＸ方向）に金型を型抜きでき、金型の型抜きが容易に行なえる。
【００３５】
また、突起部材（内径ガイド）に邪魔されずにトーションばね４６を組み込むことができ、トーションばねの組み込みが容易に行なえる。
そして、トーションばね４６の一端の腕部先端の折り曲げ部４６ａ’を基台の壁４２ｄに沿うように係合し、他端の腕部４６ｂを軸受部４３ｂ１から延びた係止ピン４３ｂ２に係止させながら、腕部先端の折り曲げ部４６ｂ’を軸受部の壁に係合するだけでトーションばねを組み込むことができる。
【００３６】
上記のように、基台と接眼レンズ（視度調整レンズ）の軸受部との間に設けられた付勢ばねの一端から延びた第１の腕部は基台に設けられた壁に沿うように係合され、その一端において付勢ばねの巻き部分の中心は上記軸部材の中心に位置している。そして、付勢ばねの他端は軸受部の外周と嵌合し、付勢ばねの他端から延びた第２の腕部は接眼レンズに係合されている。このように付勢ばねを配置しているため、その一端に巻き部分を保持する内径ガイドがないにも拘らず、付勢ばねの一端は径方向に変位せず、可動部材である接眼レンズが付勢ばねに妨げられることなく軸線方向に移動できる。そのため、内径ガイドがなくても付勢ばねを使用した設計が可能となり、付勢ばねの応用範囲が拡大される。
【００３７】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００３８】
本発明によれば、カメラのファインダ装置やばね懸架装置などのように、付勢ばねを用いる装置に広範囲に応用できる。
【図面の簡単な説明】
【００３９】
【図１】本発明の一実施例に係るファインダ構造を備えたカメラの背面外観の斜視図を示す。
【図２】図１から上蓋を除去したカメラの背面外観の斜視図を示す。
【図３】図２からファインダユニットをさらに分離したカメラの背面外観の斜視図を示す。
【図４】下方からのファインダ装置の外観の斜視図を示す。
【図５】図４からサイドカバーを除去した下方からのファインダ装置の外観の斜視図を示す。
【図６】一部の部材を分解したファインダ装置の分解斜視図を示す。
【図７】螺旋カム部材、軸部材、視度調整部材のそれぞれの回転軸に沿った縦断面図を示す。
【図８】螺旋カム部材、軸部材、視度調整部材の平面図を示す。
【図９】図７の線Ａ−Ａに沿った横断面図を示す。
【図１０】図７の線Ｂ−Ｂに沿った横断面図を示す。
【図１１】一部の部材を分解したファインダ装置の分解斜視図を示す。
【符号の説明】
【００４０】
１０      一眼レフレックスカメラ（カメラ）
２０      カメラ本体
３０      上蓋
４０      ファインダ装置
４１      ペンタプリズム
４２      基台
４２ｄ    壁
４３      接眼光学系レンズ
４３ａ    第１の接眼レンズ
４３ｂ    第２の接眼レンズ（視度調整レンズ）
４３ｂ１  軸受部
４３ｂ１’摺接面
４３ｂ１’’外周
４４      螺旋カム部材
４４ａ    カムシャフト
４４ｂ    ギヤ
４４ｃ    螺旋カム面
４５      軸部材（ガイドバー）
４６      付勢ばね（トーションばね）
４６ａ    第１の腕部
４６ａ’  折り曲げ部
４６ｂ    第２の腕部
４６ｂ’  折り曲げ部
４６ｃ    巻き部分
４７      視度調整部材
４７ｃ    操作ノブ
４７ｄ    ギヤ
【図１】
2009098320.tif 000003
【図２】
2009098320.tif 000004
【図３】
2009098320.tif 000005
【図４】
2009098320.tif 000006
【図５】
2009098320.tif 000007
【図６】
2009098320.tif 000008
【図７】
2009098320.tif 000009
【図８】
2009098320.tif 000010
【図９】
2009098320.tif 000011
【図１０】
2009098320.tif 000012
【図１１】
2009098320.tif 000013